(57)【要約】      （修正有）【課題】  現在地から目的地にルートスクロール表示を行うに際して、利用者にとってルートスクロール表示による案内の必要がほとんど無い部分についてはその表示を省略することができると共に、その案内の必要のある部分については適切な案内を行うことができるようにしたナビゲーション装置を提供する。【解決手段】  誘導経路の案内ポイント間を距離検出部３４で検出するとともに道路種別検出部３１でその間の道路種別を検出し、距離検出部３４で検出した距離Ｌ１が、案内ポイント間距離条件充足判別部３７における一般道路用３８または高速道路用３９の、検出した道路種別に対応する条件を充足しているか否かを同判別部３７で判別し、充足しているときにはその案内ポイント間の一部のスクロールをスキップする。その際、道路種別に応じて、案内ポイントの所定距離Ｌ２進んだ地点から次の案内ポイントの所定距離Ｌ３手前の部分をスキップする。【選択図】図１
2005055288.tif 000002
【特許請求の範囲】
【請求項１】
現在地から目的地までの誘導経路に沿って地図をスクロール表示するスクロール出力手段と、
案内ポイント間の距離を検出する案内ポイント間距離検出手段と、
前記案内ポイント間の距離が所定距離以上であるか否かを判別する判別手段と、
前記判別手段で前記案内ポイント間の距離が第１の所定距離以上であると判別したとき、前記案内ポイント間の一部のルートスクロールを行わずに、次の案内ポイント部分にスキップしてスクロールを再開するスキップ式スクロール処理手段を備えたことを特徴とするナビゲーション装置。
【請求項２】
前記判別手段で判別する前記第１の所定距離は、道路の種別によって異なるように設定していることを特徴とする請求項１記載のナビゲーション装置。
【請求項３】
前記案内ポイント間においてルートスクロールを行わない部分は、案内ポイントから第２の所定距離過ぎた地点から始まることを特徴とする請求項１記載のナビゲーション装置。
【請求項４】
前記案内ポイント間においてルートスクロールを行わない部分は、案内ポイントから第３の所定距離手前の地点で終了することを特徴とする請求項１記載のナビゲーション装置。
【請求項５】
前記第２の所定距離または第３の所定距離は、道路の種別によって異なるように設定していることを特徴とする請求項２または請求項３記載のナビゲーション装置。
【請求項６】
誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、いずれかのスクロール処理手段を選択して作動するスクロール案内方式選択手段を備えたことを特徴とする請求項１記載のナビゲーション装置。
【請求項７】
誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、任意のスクロール処理手段を選択し、共同してスクロール処理を行うようにするスクロール案内方式選択手段を備えたことを特徴とする請求項１記載のナビゲーション装置。
【請求項８】
前記スクロール出力は、ナビゲーション装置のデモンストレーション用出力であることを特徴とする請求項１乃至請求項７のいずれか一つに記載のナビゲーション装置。
【発明の詳細な説明】
【技術分野】
【０００１】
本発明は車両等に搭載するナビゲーション装置に関し、特に誘導経路が設定された後にルートの確認を行う際に、或いは販売店でこのナビゲーション装置を飾っているときのデモンストレーション用画面として有効なルートスクロール機能を備えたナビゲーション装置に関する。
【背景技術】
【０００２】
車両等に搭載する一般のナビゲーション装置においては、地図を描画するための地図データ及び施設等を検索するための施設情報データを記録したＣＤ−ＲＯＭ、ＤＶＤ−ＲＯＭ、ハードディスク等の地図・情報データ記憶媒体と、この地図・情報データ記憶媒体のデータを取り込むデータ取込装置と、地図等を表示するディスプレイ装置と、ＧＰＳ受信機及び走行距離センサやジャイロ等を用いた自立航法装置を用い、車両の現在位置及び進行方向の方位を検出する車両位置検出装置を有し、車両の現在位置を含む地図データを地図・情報データ記憶媒体から取り込み、この地図データに基づいて車両位置の周囲の地図画像をディスプレイ装置の画面に描画すると共に、車両位置マークをディスプレイ画面に重ね合わせて表示し、車両の移動に応じて地図画像をスクロール表示し、或いは地図画像を画面に固定し車両位置マークを移動させ、車両が現在どこを走行しているのかを一目で分かるようにしている。
【０００３】
ＣＤ−ＲＯＭやＤＶＤ−ＲＯＭ、或いはハードディスク等の地図・情報データ記憶媒体に記憶されている地図データは、各種の縮尺レベルに応じて適当な大きさの経度幅及び緯度幅に区切られており、道路等は経度及び緯度で表現されたノードの座標集合として記憶されている。道路は２以上のノードの連結からなり、地図データは、道路リスト、ノードテーブル及び交差点構成ノードリスト等からなる道路レイヤ、及び地図画面上に道路、建築物、施設、公園及び河川等を表示するための背景レイヤ等の地図データと、市町村名などの行政区画名、道路名、交差点名及び施設の名前等の、文字や地図記号等を表示するための情報データなどから構成される。
【０００４】
また、このナビゲーション装置においては、利用者が所望の目的地或いは経由地（以下「目的地」と称する）に向けて道路を間違うことなく容易に走行できるようにするための経路誘導機能を備えている。この経路誘導機能によれば、種々の手段により目的地を設定し、出発地から目的地まで、これらの地点を結ぶ経路の内各種の条件を加味して適切な経路を演算して提示するようになっている。また、利用者が選択した経路を誘導経路として記憶しておき、走行中、地図画像上に誘導経路を他の経路とは色を変えて太く描画して画面表示したり、車両が誘導経路上の進路を変更すべき交差点に一定距離以内に近づいたときに、交差点を拡大表示し、進路を変更すべき方向を示す矢印等を描画して画面表示したり、音声で右左折の誘導を行うことで、利用者を目的地まで案内することができるようにしている。
【０００５】
上記のようなナビゲーション装置において、前記のように誘導経路を設定した後、その誘導経路は実際にはどのような道をたどっていくのか、どのような右左折が存在し、どのような案内が行われるのかを確認し、また事前の知識としてもっておきたいことがある。このような利用者の要求に応えるため、ナビゲーション装置には設定した誘導経路について、現在地から目的地まで順に、自動的に誘導経路の地図を表示するとともに、ナビゲーション装置が特に案内を行う必要のある右左折交差点等では実際の案内情報を出力するルートスクロール機能を備えている。
【０００６】
また、ナビゲーション装置を販売する店内では、単にそのナビゲーション装置を展示し、モニタに地図画面を表示し、パネルでそのナビゲーション装置について説明したのみでは顧客の注目を得ることができない。そのため、他社のナビゲーション装置と比較してより目立つようなディスプレイ画像をモニタ画面に表示し、そのナビゲーション装置に注目を集めるようにすることが好ましい。その際には、ナビゲーション装置が実際に作動している状態をリアルに示すのが好ましく、その点で前記のような目的地までのルートスクロールの表示はそのナビゲーション装置の実際の表示画面に近く、顧客の関心を引くことができる。
【０００７】
ナビゲーション装置で用いる前記のようなルートスクロール表示における処理に際して、単に現在地を表示している詳細図から目的地にそのままルートスクロールすると、目的地が遠い場合には極めて多くの時間がかかってしまう。また、現在地から広域地図でルートスクロールすると、例えば現在地から主要道路に出るまでの道路状態や、主要道路から目的地に行く詳細な道路状態がわからない。また、デモンストレーション画面としても単調な画面となって好ましくない。その際利用者が手動により任意のタイミングで、スクロール速度、縮尺、表示方位、地点スキップなどの操作を行うことができるようにしたものも提案されている。
【０００８】
しかしながら、利用者がこのような操作を行うことは面倒であるため、自動的にこのような操作を行うことが従来より種々提案がなされており、例えば特開平１１−２９５０８５号公報には目的地までの距離が遠いほどスクロール速度を速くし、また、高速道路や詳細道路等の道路種別に応じてスクロール速度を調節する技術が開示され、特開２０００−２３０８３９号公報にはルートスクロール中に表示する地図の縮尺に応じてスクロール速度を調節する技術が開示され、特開２００１−２１３７３号公報には走行する道路の種類及び案内する地点までの距離に応じて画面に表示する地図の縮尺を変更し、スクロール速度を調節する技術が開示されている。
【特許文献１】特開平１１−２９５０８５号公報
【特許文献２】特開２０００−２３０８３９号公報
【特許文献３】特開２００１−２１３７３号公報
【発明の開示】
【発明が解決しようとする課題】
【０００９】
設定された誘導経路を確認するため、或いはデモンストレーション表示するため、上記のように目的地までの距離に応じて、また道路種別に応じて、また表示する地図縮尺に応じて、更には案内する地点までの距離に応じて自動的にルートスクロール速度を調節する技術においても、必ずしも未だ充分な表示が行われているとは限らず、例えば同一の高速道路を数百キロ走行するときのような場合には表示の必要のないルートスクロール表示を行うこととなり無駄である。また、このようなルートスクロール表示の必要のない部分の表示を省略することも考えられるが、その際には適切な表示処理を行わないと、利用者の最も知りたい右左折交差点等の案内を要する地点周辺の情報を表示することができなくなる。
【００１０】
したがって本発明は、現在地から目的地にルートスクロール表示を行うに際して、利用者にとってルートスクロール表示による案内の必要がほとんど無い部分についてはその表示を省略することができると共に、その案内の必要のある部分については適切な案内を行うことができるようにしたナビゲーション装置を提供することを主たる目的としている。
【課題を解決するための手段】
【００１１】
本発明に係るナビゲーション装置においては、上記課題を解決するため、現在地から目的地までの誘導経路に沿って地図をスクロール表示するスクロール出力手段と、案内ポイント間の距離を検出する案内ポイント間距離検出手段と、前記案内ポイント間の距離が所定距離以上であるか否かを判別する判別手段と、前記判別手段で前記案内ポイント間の距離が第１の所定距離以上であると判別したとき、前記案内ポイント間の一部のルートスクロールを行わずに、次の案内ポイント部分にスキップしてスクロールを再開するスキップ式スクロール処理手段を備えたものである。
【００１２】
また、本発明に係る他のナビゲーション装置においては、前記ナビゲーション装置において、前記判別手段で判別する前記第１の所定距離は、道路の種別によって異なるように設定したものである。
【００１３】
また、本発明に係る更に他のナビゲーション装置においては、前記ナビゲーション装置において、前記案内ポイント間においてルートスクロールを行わない部分は、案内ポイントから第２の所定距離過ぎた地点から始まるようにしたものである。
【００１４】
また、本発明に係る更に他のナビゲーション装置においては、前記ナビゲーション装置において、前記案内ポイント間においてルートスクロールを行わない部分は、案内ポイントから第３の所定距離手前の地点で終了するようにしたものである。
【００１５】
また、本発明に係る更に他のナビゲーション装置においては、前記ナビゲーション装置において、前記第２の所定距離または第３の所定距離は、道路の種別によって異なるように設定したのもである。
【００１６】
また、本発明に係る更に他のナビゲーション装置においては、前記ナビゲーション装置において、誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、いずれかのスクロール処理手段を選択して作動するスクロール案内方式選択手段を備えたものである。
【００１７】
また、本発明に係る更に他のナビゲーション装置においては、前記ナビゲーション装置において、誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、任意のスクロール処理手段を選択し、共同してスクロール処理を行うようにするスクロール案内方式選択手段を備えたものである。
【００１８】
また、本発明に係る更に他のナビゲーション装置においては、前記ナビゲーション装置において、前記スクロール出力をナビゲーション装置のデモンストレーション用出力としたものである。
【発明の効果】
【００１９】
本発明に係るナビゲーション装置においては、上記のようなルートスクロール処理が行われる結果、現在地から目的地にルートスクロール表示を行うに際して、例えば同一高速道路を長距離走行するときのように、利用者にとってルートスクロール表示による案内の必要がほとんど無い部分についてはその表示をスキップして省略することができ、利用者にとって効率的な案内を行うことができると共に、案内を特に必要な部分は丁寧で適切な案内を行うことができるようになる。
【００２０】
また、前記ナビゲーション装置において、前記判別手段で判別する前記第１の所定距離は、道路の種別によって異なるように設定したものにおいては、一般道路の部分は比較的短い距離でもスキップを行うことができ、また高速道路の部分は比較的長距離区間をスキップすることができるようになる。
【００２１】
また、前記ナビゲーション装置において、前記案内ポイント間においてルートスクロールを行わない部分は、案内ポイントから第２の所定距離過ぎた地点から始まるようにしたもにおいては、前記第１の所定区間のスクロールをスキップするに際して、案内の必要な案内ポイントの周辺部分である第２の所定距離過ぎた部分についてはスキップを行わずに案内を行うことができ、スキップによる効率的なスクロールを行いながらも、要所においては丁寧な案内を行うことができるようになる。
【００２２】
また、前記ナビゲーション装置において、前記案内ポイント間においてルートスクロールを行わない部分は、案内ポイントから第３の所定距離手前の地点で終了するようにしたものにおいては、前記第１の所定区間のスクロールをスキップするに際して、案内の必要な案内ポイントの周辺部分である第３の所定距離手前の部分についてはスキップを行わずに案内を行うことができ、スキップによる効率的なスクロールを行いながらも、要所においては丁寧な案内を行うことができるようになる。
【００２３】
また、前記ナビゲーション装置において、前記第２の所定距離または第３の所定距離は、道路の種別によって異なるように設定したものにおいては、一般道路の部分は案内ポイントの比較的短い距離範囲をスキップを行わずに案内を行う部分とし、高速道路の部分は案内ポイントの比較的長い範囲をスキップを行わずに案内を行う部分とすることができ、道路に応じた適切なスクロール表示を行うことができる。
【００２４】
また、前記ナビゲーション装置において、誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、いずれかのスクロール処理手段を選択して作動するスクロール案内方式選択手段を備えたものにおいては、前記スキップ式スクロール処理手段のほかに種々のスクロール処理手段を備えることとなり、利用者の好みによって任意のスクロール表示方式を選ぶことができる。
【００２５】
また、前記ナビゲーション装置において、誘導経路の状態に応じて、スクロール用の地図縮尺を調整するスクロール処理手段と、スクロール用の地図表示範囲を調整するスクロール処理手段と、スクロール速度を調整するスクロール処理手段の少なくとも一つを更に備え、任意のスクロール処理手段を選択し、共同してスクロール処理を行うようにするスクロール案内方式選択手段を備えたものにおいては、前記スキップ式スクロール処理手段のほかに種々のスクロール処理手段を備えることとなり、しかもそれらのスクロール処理手段を適宜組み合わせてよりを行わせ、よりきめ細かなルートスクロール表示を行うことができるようになる。
【００２６】
また、前記ナビゲーション装置において、前記スクロール出力をナビゲーション装置のデモンストレーション用出力としたものにおいては、ナビゲーション装置を販売する店において変化のある画面表示を行うことができ、顧客の注目を集めやすいナビゲーション装置とすることができる。
【発明を実施するための最良の形態】
【００２７】
ナビゲーション装置において、現在地から目的地にルートスクロール表示を行うに際して、利用者にとってルートスクロール表示による案内の必要がほとんど無い部分についてはその表示を省略することができると共に、その案内の必要のある部分については適切な案内を行うことができるようにする目的を、現在地から目的地までの誘導経路に沿って地図をスクロール表示するスクロール出力手段と、案内ポイント間の距離を検出する案内ポイント間距離検出手段と、前記案内ポイント間の距離が所定距離以上であるか否かを判別する判別手段と、前記判別手段で前記案内ポイント間の距離が第１の所定距離以上であると判別したとき、前記案内ポイント間の一部のルートスクロールを行わずに、次の案内ポイント部分にスキップしてスクロールを再開するスキップ式スクロール処理手段を備えることにより実現した。
【実施例１】
【００２８】
本発明の実施例を図面に沿って説明する。図１は本発明の実施例のナビゲーション装置において、本発明の主要部をなすルートスクロール処理を行う機能部分を主として示した機能ブロック図を示している。なお、同図における各機能部は、各機能を行う手段と言い換えることができる。
【００２９】
図１に示すナビゲーション装置においては、従来のものと同様に、システム制御部２０には各種の所定の機能を総合的に行うためのソフトウェアを記録したＲＯＭ、そのソフトウェアを処理するためのＣＰＵ等を備え、これと接続した各機能部の制御を行っている。 図１に示すナビゲーション装置においては、このシステム制御部２０に車両位置検出部３が接続し、ＧＰＳ受信器１の位置データを入力し、更に必要に応じて車速センサや角度センサによる走行距離・方位検出部２からの車両の移動データを入力することによって、車両の現在位置を正確に検出している。
【００３０】
指示信号入力部６においては、このナビゲーション装置において利用者によるリモコン等の指示信号を入力しており、後に詳述するルートスクロールの機能選択等の指示を入力することができるようにし、必要に応じてデモンストレーション機能出力指示等も入力可能としている。更に必要に応じて利用者の音声を認識する処理によって利用者の指示信号を入力する音声認識部５の信号も、この指示信号入力部６に入力している。
【００３１】
またデータ取込部８においては、ＤＶＤ−ＲＯＭ、ＣＤ−ＲＯＭ、或いはハードディスク等の地図・情報データ記録媒体７から必要な地図データ、施設情報等を取り込み、更にそのデータ記録媒体がハードディスクのように容易にデータの書き込みができるような場合には、外部から取り込んだデータや、他の機能部で処理したデータを後に読み取って利用することができるように、そのデータ記録媒体にデータ入力もできるようにしている。特に本発明においては、ルートスクロールに際して指示された地点の地図を所定の縮尺で出力すると共に、右左折案内等のデータも出力可能としている。
【００３２】
誘導経路演算部９においては、車両位置検出部３で検出した車両の現在地を取り込み、画面に表示されるカーソルの操作による地図のスクロールにより、或いは住所を入力することにより、更には電話番号を入力する等の種々の手法により設定された目的地を取り込み、最短所要時間、最短距離、一般道路優先等の種々の条件において最適の誘導経路を演算して提示する。また、誘導経路案内部１０では、誘導経路演算部９で演算され、利用者によって選択指示された誘導経路に従って、車両を安全に目的地に到着できるように案内を行う。その他、スピーカ１２から種々の案内を含む各種音声を出力する音声出力部１２を備え、更にモニタ１３に後述するような地図のほか、種々の情報を表示する画像出力部１４を備えている。
【００３３】
図１における本発明の主要機能を行うルートスクロール出力処理部２１においては、各種のルートスクロールの態様のうち任意のルートスクロールを選択して利用することができるようにした例を示している。図示するルートスクロール出力処理部２１はシステム制御部２０によって総合的に制御され、所定の作動を行うことができるようにしており、後述するようなルートスクロール出力処理部２１内の各機能部は、システム制御部２０によって相互にデータの授受を可能とし、システム制御部に接続した他の各種機能部ともデータの授受を可能としている。
【００３４】
図１に示したルートスクロール出力処理部２１においては、案内スキップ式スクロール処理部２２、地図表示縮尺調整式スクロール処理部２３、地図表示範囲調整式スクロール処理部２４、スクロール速度調整式スクロール処理部２５を備え、利用者の指示等によって作動するルートスクロール案内方式選択部２６の選択によって、これらの処理部を任意に切り換え、或いはこれらを適宜組み合わせて使用し、各種のルートスクロール表示を行うことができるようにしている。
【００３５】
ルートスクロール出力処理部２１には誘導経路情報取込部２７を備え、前記誘導経路演算部９で演算した誘導経路と、その誘導経路に沿って走行する際に出力する各種の関連情報及び走行時に出力する案内情報等を取り込んでいる。ルートスクロール情報取込部２８においては、前記誘導経路情報取込部２７で取り込んだ各種情報に関して、特にルートスクロールに際して必要の情報のみを抽出し、後述する各種処理部で利用可能としている。
【００３６】
目的地到達検出部３０では、ルートスクロールを行っている箇所が目的地に到達したことを検出し、このルートスクロール処理を終了可能としている。道路種別検出部３１においては、前記ルートスクロール情報取込部２８で取り込んだ情報の中から、現在の案内ポイントから次の案内ポイント迄の走行道路が詳細道路、一般道路、国道、高速道路、フリー航路等の各種の道路のうちいずれであるかを検出し、その情報を各スクロール処理部出力している。また、ルートスクロール地図データ出力部３２では前記各スクロール処理部で処理されたルートスクロール用の地図データを出力し、ルート案内出力部３３では右左折案内等の画像及び音声の出力を行うことができるようにしている。
【００３７】
前記各種スクロール処理部のうちで、本発明において最も主要な処理部である案内スキップ式スクロール処理部２２においては、その中の案内ポイント間距離検出部３４で、前記ルートスクロール情報取込部２８からの情報に基づいて、出発地点を含め現在の案内ポイントから次の案内ポイント間の距離を検出し、そのデータを案内ポイント間距離条件（Ｌ１）充足判別部３７に出力している。また案内ポイント到達検出部３５では、現在スクロールしている地点が前記の次の案内ポイントとされた地点に到達したことを検出し、その後の処理開始信号を形成する。フェードイン・フェードアウト表示制御部３６では、ルートスクロール表示をスキップする際フェードアウトし、次の案内地点近傍でのルートスクロール開始時にはフェードインする処理を行う。
【００３８】
案内ポイント間距離条件（Ｌ１）充足判別部３７では、前記案内ポイント間距離検出部３４で検出した現在の案内ポイントから次の案内ポイント迄の距離が、その案内ポイント間の道路種別が一般道路であるときには例えば３ｋｍ等の一般道路用の距離条件（Ｌ１Ａ）３８を充足しているか否か、またその案内ポイント間の道路種別が高速道路であるときには例えば３０ｋｍ等の高速道路用の距離条件（Ｌ１Ｂ）３９を充足しているか否かを判別する。
【００３９】
案内ポイント後所定距離（Ｌ２）到達検出部４０は、現在の案内ポイントを通過してから次の案内ポイントにスキップする際、現在の案内ポイントを過ぎたときに突然次の案内ポイントにスキップを行うのではなく、現在の案内ポイントを過ぎてもその案内を所定距離に到達するまで継続し、現在の案内ポイントの周辺の状況を利用者に知らせることができるようにするため、その所定距離を検出するものであり、案内ポイント通過後の道路が一般道路であるときには例えば１００ｍ等の一般道路用所定距離（Ｌ２Ａ）に到達したか否か、またその道路が高速道路であるときには例えば３００ｍ等の高速道路用所定距離（Ｌ２Ｂ）に到達したか否かを判別する。
【００４０】
案内ポイント手前所定距離検出部４３は、上記のようなルートスクロールのスキップを行って次の案内ポイントに移動するとき、次の案内ポイントの所定距離手前から案内を行うため、その開始地点を検出するものであり、現在のポイントから次のポイント迄の道路種別が一般道路であるときには例えば３００ｍ等の一般道路用所定距離（Ｌ３Ａ）の地点を検出し、またその道路が高速道路であるときには例えば１ｋｍ等の高速道路用所定距離（Ｌ３Ｂ）を検出する。地図表示縮尺調整式スクロール処理部２３には、図示の例においては道路種別毎縮尺調整式スクロール処理部４６と、案内ポイント間地図表示用縮尺調整式スクロール処理部４７と、出発地・目的地距離対応縮尺調整式スクロール処理部４８とを備え、いずれかの地図表示縮尺調整によってルートスクロールを効果的に行うようにしている。
【００４１】
この中で道路種別毎縮尺調整式スクロール処理部２３においては、ルートスクロール中の道路の種別によって、例えば詳細道路ではスクロール速度を遅くし、高速道路では速くする等の処理を行う。また案内ポイント間地図表示用縮尺調整式スクロール処理部４７では、案内ポイントの両端が１画面に入る縮尺の地図を選択して表示し、その地図上でルートスクロールを行わせるものであり、案内ポイント間が長い場合でもその間が１画面に入る程度に縮められ、そこでスクロールを行うのでここではスクロール速度を速くする処理が行われる。
【００４２】
また、出発地・目的地距離対応縮尺調整式スクロール処理部４８においては、出発地近傍と目的地近傍は詳細地図で表示し、その間は出発地から遠ざかるほど、また目的地に遠いほど広域側の縮尺の地図を選択して表示し、その地図上でルートスクロールを行うようにするものであり、そのために出発地離間距離演算部４９で出発地から離れていく距離を検出し、目的地接近距離演算部５０では目的地に接近していく距離を検出する。
【００４３】
地図表示範囲調整式スクロール処理部２４においては、例えば誘導経路を道路種別毎に１つの地図に入るように地図表示範囲を調整し、その地図上でルートスクロールを行うものであり、それにより比較的短い距離を走行する詳細道路については結果的に縮尺の小さな地図が表示されるようになり、また高速道路についてはその走行距離が長い場合でも１つの地図に入るように地図表示範囲を調整し、結果的に縮尺の大きな地図が表示されるようになって、それらの地図上でルートスクロールを行う。このような表示が行われるときには、スクロール速度も詳細道路では遅く、高速道路では速くなるように調整されることとなる。
【００４４】
また、この地図表示範囲調整式スクロール処理部２４においては、例えば隣接する２つの案内ポイントが１つの地図に入るように地図表示範囲を調整し、案内ポイント間が短いときにはその間はその距離に応じた詳細地図が表示され、高速道路のように長いとき広域地図が表示されてルートスクロールが行われることとなる。
【００４５】
ルートスクロール速度調整式スクロール処理部２５においては、スクロール速度を現在表示している道路種別毎に変化させるものであり、例えば一般道路では遅く、高速走路では速くスクロールさせる。また、スクロール速度を出発地から遠ざかるにしたがい速くし、また目的地に近くなるにしたがって遅くなるようにスクロール速度を調整する。
【００４６】
上記のような種々のルートスクロール処理方式は、それぞれの処理部で独立して処理を行う以外に、例えば地図表示縮尺調整式スクロール処理とスクロール速度調整式スクロール処理とを連動させ、地図表示縮尺調整式スクロール処理部２３の出発地・目的地距離対応縮尺調整式スクロール処理部４８において、出発地近傍と目的地近傍は詳細地図で表示し、その間は出発地から遠ざかるほど、また目的地に遠いほど広域側の縮尺の地図を選択して表示し、更にルートスクロール速度調整式スクロール処理部２５において、出発地から遠ざかるにつれてスクロール速度を速くし、また目的地に近づくにつれてスクロール速度を遅くする、という相互作用的なスクロール処理も行うことができる。
【００４７】
上記のような機能ブロックから構成されるナビゲーション装置において、案内スキップ式スクロール処理部２２で行われる処理は、例えば図２に示す作動フローにしたがって順に作動させることができる。以下その作動フローを図１の機能ブロック図、及び図３のルート例等を参照しつつ説明する。
【００４８】
図２に示す案内スキップ式スクロール処理に際して、最初ルートスクロール情報の取込を行う（ステップＳ１）。これは図１のルートスクロール情報取込部２８が誘導経路情報取込部２７で取り込んだ誘導経路及びその案内に関する各種情報の中から必要なものを選択して取り込むことによって行う。次いで、現在の案内ポイントから次の案内ポイント迄の道路種別を検出する（ステップＳ２）。この作動は図１の道路種別検出部３１が、前記ルートスクロール情報取込部２８で取り込んだルートスクロール情報の中から、現在の案内ポイントから次の案内ポイント迄の道路種別を検出することにより行われる。
【００４９】
次いで、次の案内ポイント迄の道路種別は高速道路か否かの判別を行う（ステップＳ３）。その結果、次の案内ポイント迄の道路種別は高速道路ではない、即ち一般道路であると判別したときには、次の案内ポイント迄所定距離Ｌ１Ａ以上あるか否かを判別する。この判別は図１における案内ポイント間距離検出部３４で検出した距離を用いて、案内ポイント間距離条件（Ｌ１）充足判別部３７において行う。このとき、例えば図３に示すルート例のように、現在地Ｐから次の案内ポイントＳで右折し、その次の案内ポイントＶで左折するルートの場合において、現在地Ｐから次の案内ポイントＳ迄の距離はＬ１であり、その道路が一般道路であるときには、同図の所定距離条件設定例の表に示すように、例えばその所定距離Ｌ１における一般道路の所定距離Ｌ１Ａを３ｋｍとし、したがって上記ステップＳ４においては次の案内ポイント迄３ｋｍ以上あるか否かを判別する。
【００５０】
その判別の結果、次の案内ポイント迄３ｋｍ以上あると判別したときには、現在の案内ポイントからルートスクロール出力を行う（ステップＳ５）。この処理の最初はスクロール開始点であり、現在地であるので、現在地から目的地に向けての誘導経路に沿って自車位置が進行し、自車位置が中心になるように地図がスクロール表示される。また、後述するようにその後ルートスクロールが継続し再びこのステップ５に戻って処理が行われるときには、各々の案内ポイントが順次現在の案内ポイントとなる。
【００５１】
このようなルートスクロール出力の後、現在の案内ポイントから所定距離Ｌ２Ａが過ぎたか否かを検出する。この処理は図１における案内ポイント後所定距離（Ｌ２）到達検出部４０において行う。図３に示すルート例においては、現在地Ｐから所定距離Ｌ２の一般道路の所定距離Ｌ２Ａを１００ｍとしており、したがって上記ステップＳ６においては現在の案内ポイントである現在地Ｐから１００ｍ過ぎたか否かを判別する。この判別の結果、未だ１００ｍを過ぎていないと判別したときにはステップＳ５に戻って前記作動を繰り返し、１００ｍを過ぎたと判別したときには、次の案内ポイントの所定距離Ｌ３Ａまでルートスクロールをスキップする（ステップＳ７）。その後、次の案内ポイントの前記所定距離Ｌ３Ａ手前の地点からルートスクロールの出力を行う。このときの所定距離の地点の検出は、図１における案内ポイント手前所定距離（Ｌ３Ａ）検出部４３において行う。
【００５２】
このときの所定距離Ｌ３Ａは、図３に示すルート例においては案内ポイント手前所定距離Ｌ３における一般道路の所定距離Ｌ３Ａを３００ｍとしており、したがって前記ステップＳ７においては、次の案内ポイントの３００ｍ手前までルートスクロールをスキップすることとなる。このようにして、図３に示す例においては、現在地Ｐから次の案内ポイントＳ迄のルートスクロールに際して、その道路が一般道路であって現在地から次の案内ポイントＳ迄３ｋｍ以上あり、その結果、現在地Ｐから１００ｍの地点Ｑ迄ルートスクロール案内を行い、その後次の案内ポイントＳの手前３００ｍの地点Ｒまでルートスクロールをスキップし、地点Ｒからルートスクロールとそのときの例えば「次の交差点を右折です」のような案内出力を行って地点Ｓに至る。上記ルートスクロールのスキップに際しては、表示地図が突然に変わるのは利用者に奇異な感じを抱かせるので、適宜フェードアウトし、その後フェードインして次の案内ポイント近傍のルートスクロール出力を行うようにすることが好ましい。なお、この処理は図１のフェードイン・フェードアウト表示制御部３６において行う。
【００５３】
次いで、案内ポイント間のルートスクロールは終了したか否かの判別を行い（ステップＳ９）、未だ終了していないときには再びステップＳ８に戻って上記ルートスクロール作動を継続する。ステップＳ９において案内ポイント間のルートスクロールは終了したと判別したとき、即ち図３における次の案内ポイントＳに到達したと判別したときには、目的地に到達したか否かを判別し（ステップＳ１０）、未だ目的地ではないときには再びステップＳ２に戻って、現在の案内ポイント、即ち図３における次の案内ポイントとして示される地点Ｓから更に次の案内ポイントＶ迄の道路種別を検出し、以下前記と同様の作動を繰り返す。
【００５４】
一方、前記ステップＳ４において、次の案内ポイント迄所定距離Ｌ１Ａ以上あるか否かの判別において、例えば前記の例における一般道路の所定距離である３ｋｍ以上ないと判別したときには、ステップＳ１１に進んで直ちにルートスクロールの出力を行う。即ち、図３において次の案内ポイントとして示される地点Ｓから案内ポイントＶとして示される区間が一般道路の時、両地点の距離Ｌ１Ａが同図の表に示すように３ｋｍ以下であるときは、地点Ｓから直ちにルートスクロール出力を行う。その結果、前記の地点Ｓ迄のルートスクロールと継続してルートスクロールの表示が行われることとなる。
【００５５】
その後、案内ポイント間のルートスクロールは終了したか否かを判別し（ステップＳ１２）、未だ次の案内ポイントに到達していないときには再びステップＳ１１に戻って前記ルートスクロール出力を継続する。ここで案内ポイント間のルートスクロールは終了したと判別したとき、即ちルートスクロールが図３における案内ポイントＶに到達したときには、ステップＳ１０に進んで目的地に到達したか否かを判別し、未だ目的地ではないときには前記と同様に再びステップＳ２に戻って、前記作動を繰り返す。  
【００５６】
また、前記ステップＳ３において、次の案内ポイント迄の道路種別は高速道路であると判別したときにはステップＳ１３に進み、以下前記一般道路のルートスクロールとほぼ同様の作動であるステップＳ１３〜ステップＳ１８の処理を行う。即ち、ステップＳ１３においては次の案内ポイント迄所定距離Ｌ１Ｂ以上あるか否かを判別し、例えば図３における現在地Ｐから次の案内ポイントＳ迄高速道路であるとき、次の案内ポイント間が３０ｋｍ以上ある時には前記ステップＳ１３で次のステップＳ１４に進み、現在の案内ポイントからルートスクロール出力を行う。
【００５７】
その後、現在の案内ポイントから所定距離Ｌ２Ｂを過ぎたか否かを判別する。この所定距離Ｌ２Ｂは、図３のルート例においては高速道路では３００ｍであり、したがってステップＳ１５において未だこの所定距離の３００ｍを過ぎていないと判別したときには、再びステップＳ１４に戻ってルートスクロールを継続する。ここで前記所定距離Ｌ２Ｂとしての３００ｍを過ぎたと判別したときには、ステップＳ１６に進んで、次の案内ポイントの所定距離Ｌ３Ｂ迄スキップする。図３のルート例においてはこの所定距離Ｌ３Ｂは１ｋｍであり、次いで、次の案内ポイントの前記Ｌ３Ｂ手前の地点からルートスクロールの出力を行う（ステップＳ１７）。
【００５８】
その後、案内ポイント間のルートスクロールは終了したか否かの判別（ステップＳ１８）、即ち図３のルート例における地点Ｓに到達したか否かを判別し、未だ到達していないときには再びステップＳ１７に戻って前記ルートスクロール出力を継続し、ここで地点Ｓに到達することにより案内ポイント間のルートスクロールは終了したと判別したときには、前記ステップＳ１０に進んで前記と同様に目的地に到達したか否かの判別を行い、以降同様の作動を繰り返す。
【００５９】
前記ステップＳ１３において、次の案内ポイント迄所定距離Ｌ１Ｂ以上無いと判別したとき、即ち図３のルート例においては３０ｋｍ以上無いと判別したときには、前記と同様にステップＳ１１に進んで、直ちにルートスクロール出力を行う。また、案内ポイント間のルートスクロールが終了したか否かの判別であるステップＳ１２によって、終了したと判別するまでこの作動を繰り返す。
【００６０】
図３においては例えば次の案内ポイントとして示される地点Ｓから、案内ポイントとして示される地点Ｖ迄が高速道路であって、両地点間の距離Ｌ１が高速道路の所定距離Ｌ１Ｂとしての３０ｋｍ以上無いときには、地点Ｓから直ちに次の案内ポイントである地点Ｖ迄ルートスクロール出力が行われる。ここで案内ポイント間のルートスクロールが終了したと判別したときには、前記と同様にステップＳ１０に進んで、目的地に到達したかか否かを判別し、目的地に未だ至っていないときは再び前記ステップＳ２に戻り、以降同様の作動を繰り返す。前記ステップＳ１０において目的地に到達したと判別したときにはこの処理を終了する。
【００６１】
上記実施例においては、前記のような構成と上記のような作動を行う結果、誘導経路を設定した後そのルートの確認を行うとき、またそのルートを頭に入れておきたいとき、更にはこのナビゲーションを販売する商店でルートスクロール機能を出力してデモンストレーションを行うとき、設定された誘導経路に沿って自動的にルートスクロール処理が開始され、スクロールされる道路種別に対応した案内ポイント間の距離に応じてスキップ処理が行われる。
【００６２】
その結果利用者が本当に知りたい地点の案内を素早く行うことができ、デモンストレーションの時にはあまり変化のない画面を長時間出力し続けることが無くなる。また、そのスキップ処理に際しては、案内地点の前後を確実にルートスクロールによる案内を行うことができるので、利用者にとってわかりやすいルートスクロール出力を行うことができ、デモンストレーションにおいても変化のある地点を効果的に表示することができる。
【実施例２】
【００６３】
図１に示すナビゲーション装置においては、ルートスクロール案内処理として、前記のような案内スキップ式スクロール処理以外に、地図表示範囲調整式スクロール処理部２４を備えており、例えば図４に示すような作動フローによって処理が行われる。図４に示す例においては、道路種別に対応したルートスクロールの地図表示範囲調整処理の作動を示しており、最初に現在地からの道路種別の検出を行う（ステップＳ３１）。その結果、例えば詳細道路であるときには、ステップＳ３２において、誘導経路上においてその道路種別である詳細道路の終点位置を検出する。
【００６４】
次いで、同一道路種別の始点と終点が入り最も詳細な地図を選択して出力する（ステップＳ３３）。その結果同図のフローチャートの右側に示している地図表示例のように、現在地から始まる誘導経路の詳細道路について、次の一般道路との結合地点である詳細道路の終点迄を地図１として表示する。
【００６５】
その後、この地図上で車両位置が移動するようにスクロール表示し（ステップＳ３４）、次いで同一道路種別の終点に到達したか否かを判別する（ステップＳ３５）。その判別の結果未だ同一道路の終点に到達していないと判別したときには、再びステップＳ３４に戻ってその地図上でのルートスクロール出力を継続する。また、ここで同一道路種別の終点に到達したと判別したときには、前記終点は目的地であるか否かを判別し（ステップＳ３６）、未だ目的地でないときには次のルートの道路種別を検出し（ステップＳ３７）、再びステップＳ３２に戻ってその検出した道路種別の道路が、誘導経路上において他の道路種別の道路と接続する地点、即ちその道路種別の道路の終点を検出し、以降同様の作動を繰り返す。
【００６６】
その結果、同図の地図表示例に示すように、現在地から目的地まで、地図１において詳細道路部分を表示し、地図２において一般道路、地図３において高速道路、地図４においてフェリー航路、地図５において一般道路の地図が表示され、各々の地図において自車位置が移動するように順にルートスクロール出力がなされる。
【００６７】
このようなルートスクロール出力がなされる結果、比較的短い距離を走行する詳細道路については、その範囲が１画面に表示される地図によって丁寧なルートスクロールがなされ、比較的長い距離を走行する高速道路については、その範囲が１画面に表示される広域地図によって素早くスクロールがなされる等、適切なルートスクロール出力を自動的に行うことができるようになる。
【実施例３】
【００６８】
図１の地図表示範囲調整式スクロール処理部２４においては更に、例えば図５に示すようなルートスクロール案内ポイント間を地図表示範囲として調整する、ルートスクロール案内ポイント間地図表示範囲調整処理によってルートスクロール出力を行うこともできる。即ち図５に示す例においては、最初次の案内ポイントの検出を行い（ステップＳ４１）、次に現在の案内ポイントと次の案内ポイントを含む最も詳細な地図を選択して出力する（ステップＳ４２）。その結果同図のフローチャートの右側に示している地図表示例のように、現在地から目的地までの案内ポイントを両端とする地図を表示することとなる。このような地図上においてルートスクロール出力を行う（ステップＳ４３）こととなるが、このときも固定された地図上で車両位置が移動するスクロール表示がなされる。
【００６９】
次いで、次の案内ポイントに到達したか否かを判別し（ステップＳ４４）、未だ到達していないときにはステップＳ４２に戻ってこのルートスクロール出力を継続し、ここで次の案内ポイントに到達したと判別したときには、次の案内ポイントは目的地であるか否かを判別し（ステップＳ４５）、未だ目的地ではないと判別したときには前記ステップＳ４１に戻って、次の案内ポイントの検出を行い、前記作動を繰り返す。また、ステップＳ４５において次の案内ポイントが目的地であると判別したときにはこの作動フローを終了する（ステップＳ４６）。
【００７０】
上記のような作動を行う結果、案内ポイント間が短い区間においては表示される地図が詳細地図となり、わかりやすいルートスクロールがなされ、例えば同一国道を長距離走行するときや高速道路を走行するときのように、道なりの経路が長い区間では広域地図でこれを表示することができ、案内ポイント間を素早くルートスクロールすることができるようになる。
【実施例４】
【００７１】
また、図１のスクロール速度調整式スクロール調整部２５においては、例えば図６に示すような作動フローにしたがって処理を行う。即ち図６に示す例においては、最初現在地からの道路種別の検出を行う（ステップＳ５１）。次いで検出した道路種別に対応した所定スクロール速度の読み取りを行う（ステップＳ５２）。ここでの道路種別対応所定スクロール速度としては、同フローチャートの右側の表に例示するように、詳細道路についてそのスクロール速度を１としたとき、一般道路はその２倍の速さとし、国道では４、高速道路では２０、フェリー航路では２００倍の速度比に設定する。
【００７２】
次いで誘導経路に沿って所定速度でルートスクロール出力を行い（ステップＳ５３）、その後スクロール箇所の道路種別の検出をおこなって（ステップＳ５４）、道路種別は変更になったか否かを判別する（ステップＳ５５）。その判別の結果未だ道路種別が変更にならないときには目的地に到達したか否かを判別し（ステップＳ５６）、未だ目的地に到達していないときには前記ステップＳ５４に戻って誘導経路に沿って所定速度でルートスクロール出力する作動を継続し、以下同様の作動を繰り返す。
【００７３】
前記ステップＳ５５において道路種別が変更になったと判別したときには、ステップＳ５２に戻って、変更になった道路についてその道路種別対応の所定スクロール速度を読み取り、以降同様の作動を繰り返す。また前記ステップＳ５６において目的地に到達したと判別したときには、この処理を終了する（ステップＳ５７）。
【００７４】
上記のようなルートスクロール出力を行うことにより、詳細道路はゆっくりとしたルートスクロールを行って利用者にわかりやすく案内し、高速道路のような道路においては素早くルートスクロールして、無駄のない効率的なスクロールを行うことができるようになる。
【実施例５】
【００７５】
また、図１の地図表示縮尺調整式スクロール処理部２３では、道路種別毎縮尺調整式スクロール処理部４６において、例えば図７に示すような作動フローにしたがったスクロール処理を行うことができる。即ち図７に示す例においては、道路種別に対応したルートスクロール地図表示の縮尺変更処理を示しており、最初に現在地からの道路種別の検出を行う（ステップＳ６１）。次いで、その検出の結果の道路種別に対応した所定スクロール地図縮尺を読み取る（ステップＳ６２）。
【００７６】
この、道路種別に対応した所定スクロール地図縮尺は、同フローチャートの右側に例示しているように、例えば詳細道路については地図画面上の基準長さが１０ｍとなる地図縮尺を選択して表示するようにし、同様に一般道路は２５ｍ、国道は５００ｍ、高速道路は２ｋｍ、フェリー航路は２０ｋｍの縮尺の地図を選択して表示する。
【００７７】
その後誘導経路に沿って所定地図縮尺でルートスクロール出力を行い（ステップＳ６３）、その状態で常にスクロール箇所の道路種別の検出を行う（ステップＳ６４）。その検出の結果道路種別は変更になったか否かを判別し（ステップＳ６５）、未だ変更にならないときには目的地に到達したか否かを判別し（ステップＳ６６）、未だ目的地に到達しないときにはステップＳ６３に戻って、誘導経路に沿った所定地図縮尺でのルートスクロール出力を行い、以降同様の作動を繰り返す。また、ステップＳ６５において道路種別が変更になったと判別したときにはステップＳ６２に戻り、変更になった道路種別対応の所定スクロール地図縮尺を読み取り、以降はその地図縮尺の表示状態でルートスクロールを行う。
【００７８】
このようなルートスクロール出力を行うことにより、利用者に丁寧な案内を行う必要があると共に比較的短い距離を走行する詳細道路については、縮尺の小さな詳細図で表示することができ、高速道路のように道なりに走行するば良い道路では広域地図により素早くスクロールして効率的なルートスクロール出力を行うことができる。
【実施例６】
【００７９】
図１の地図表示縮尺調整式スクロール処理部２３における案内ポイント間地図表示用縮尺調整式スクロール処理部４７においては、前記図５に示すようなルートスクロール案内ポイント間地図表示調整処理とほぼ同様の処理を行うことができる。また図１の出発地目的地距離対応縮尺調整式スクロール処理部２３においては、出発地離間距離演算部５０によるルートスクロールしている地点が出発地から離間する距離データと、目的地接近距離演算部５０によるルートスクロールしている地点が目的地に接近している距離データを用いて、出発地から離間するほど地図の縮尺を大きくして、次第に広域地図を表示し、逆に出発地と目的地の中間位置から目的地に近づくにしたがって地図の縮尺を小さくして、次第に詳細地図を表示する。
【実施例７】
【００８０】
上記のような各種のスクロール処理部を備える結果、原則として案内スキップ式スクロール処理を行うように設定しているナビゲーション装置においても、スキップ表示することは好ましくないと考える利用者に対して、更に他の態様のルートスクロール出力によって単調なスクロール表示よりは変化の多い、効率的なスクロール表示を選択して行わせることができるようになるものであるが、更に、これらの処理部を共同して作動させることにより、例えば一般道路でも国道の走行時には前記のようなスキップ処理を行い、詳細道路の場合には前記図４〜図７のいずれかの地図表示、及びスクロール出力処理を行う等、種々の組み合わせによって適切な、またデモンストレーション時に効果的な出力を行うことができる。  
【産業上の利用可能性】
【００８１】
本発明は上記実施例に記載したような車両用ナビゲーション装置に対して好適に利用することができるものであるが、そのほかパソコンの地図案内ソフトとして、また携帯情報端末のナビゲーションソフト、或いは地図表示ソフト等、同様の産業上の分野に広く利用することが可能である。
【図面の簡単な説明】
【００８２】
【図１】本発明の実施例の機能ブロック図である。
【図２】同実施例において案内スキップ式ルートスクロール処理を行う作動フロー図である。
【図３】同案内スキップ式ルートスクロール処理におけるルート例と、道路種別に応じて変えた各種所定距離の例を示す図である。
【図４】同実施例において、道路種別対応ルートスクロール地図表示範囲調整処理を行う作動フロー図である。
【図５】同実施例において、ルートスクロール案内ポイント間地図表示範囲調整処理を行う作動フロー図である。
【図６】同実施例において、道路種別対応ルートスクロール速度変更処理を行う作動フロー図である。
【図７】同実施例において、道路種別対応ルートスクロール地図表示縮尺変更処理を行う作動フロー図である。
【符号の説明】
【００８３】
２１  ルートスクロール出力処理部  
２２  案内スキップ式スクロール処理部
２３  地図表示縮尺調整式スクロール処理部
２４  地図表示範囲調整式スクロール処理部
２５  スクロール速度調整式スクロール処理部
２６  ルートスクロール案内方式選択部
２７  誘導経路情報取込部
２８  ルートスクロール情報取込部
３０  目的地到達検出部
３１  道路種別検出部
３２  ルートスクロール地図データ出力部
３３  ルート案内出力部
３４  案内ポイント間距離検出部
３５  案内ポイント到達検出部
３６  フェードイン・フェードアウト表示制御部
３７  案内ポイント間距離条件充足判別部
３８  一般道路用距離条件
３９  高速道路用距離条件
４０  案内ポイント後所定距離到達検出部
４１  一般道路用所定距離
４２  高速道路用所定距離
４３  案内ポイント手前所定距離検出部
４４  一般道路用所定距離
４５  高速道路用所定距離
４６  道路種別毎縮尺調整式スクロール処理部
４７  案内ポイント間地図表示用縮尺調整式スクロール処理部
４８  出発地・目的地距離対応縮尺調整式スクロール処理部
４９  出発地離間距離演算部
５０  目的地接近距離演算部
【図１】
2005055288.tif 000003
【図２】
2005055288.tif 000004
【図３】
2005055288.tif 000005
【図４】
2005055288.tif 000006
【図５】
2005055288.tif 000007
【図６】
2005055288.tif 000008
【図７】
2005055288.tif 000009